(57)【要約】【課題】サイドカバーによって横側部が覆い隠された機器に対して補助作業を行う場合の作業性を改善する。【解決手段】走行車体１０に搭載した機器Ａの横側部を覆い隠すサイドカバー６を備えた収穫機において、サイドカバー６を、横側部を覆い隠す縦向き姿勢で、横側部を覆い隠す下降位置と横側部を露出させる上昇位置とにわたって上下移動可能に支持する支持機構８を備えている。【選択図】図１２
2016189734.tif 000002
【特許請求の範囲】
【請求項１】
走行車体に搭載した機器の横側部を覆い隠すサイドカバーを備えた収穫機において、
前記サイドカバーを、前記横側部を覆い隠す縦向き姿勢で、前記横側部を覆い隠す下降位置と前記横側部を露出させる上昇位置とにわたって上下移動可能に支持する支持機構を備えている収穫機。
【請求項２】
圃場に植立しているトウモロコシを自走しながら収穫し、
前記機器として、収穫したトウモロコシ房状体を処理する作業装置を備え、
前記作業装置の後方に、前記作業装置による処理後のトウモロコシ房状体を貯留する貯留部を配備し、
前記サイドカバーは、前記貯留部の排出側に位置する前記横側部を覆い隠している請求項１に記載の収穫機。
【請求項３】
収穫したトウモロコシ房状体から包葉をむき取る皮むき装置と、
むき取られた包葉と皮むき時にトウモロコシ房状体から取れた種子粒とを前記皮むき装置の下方において選別する選別装置と、
選別された種子粒を前記選別装置の下方において回収する前記作業装置としての回収装置とを備え、
前記回収装置は、前記貯留部の排出側と同じ側に排出部を備えている請求項２に記載の収穫機。
【請求項４】
前記サイドカバーが覆い隠す前記横側部の反対側に位置する横側部を覆い隠す別のサイドカバーと、
前記別のサイドカバーを、前記反対側の横側部を覆い隠す閉じ位置と前記反対側の横側部を露出させる開き位置とにわたって縦軸心回りに揺動可能に支持する支持部とを備えている請求項１〜３のいずれか一つに記載の収穫機。
【請求項５】
前記反対側の横側部に、前記機器に備えた複数の駆動部に伝動する伝動装置を備え、
前記別のサイドカバーは、前記閉じ位置においては前記伝動装置を覆い隠し、前記開き位置においては前記伝動装置を露出させている請求項４に記載の収穫機。
【発明の詳細な説明】
【技術分野】
【０００１】
本発明は、走行車体に搭載した機器の横側部を覆い隠すサイドカバーを備えた収穫機に関する。
【背景技術】
【０００２】
上記のような収穫機においては、サイドカバーを前後向きの揺動軸心回りに上下揺動操作することにより、サイドカバーが、機器の一例である燃料タンクに対するカバー状態とカバー解除状態とに切り換わり、カバー解除状態では、サイドカバーが水平姿勢又はほぼ水平姿勢になるように、サイドカバーを上下揺動式に構成したものがある（例えば特許文献１参照）。
【先行技術文献】
【特許文献】
【０００３】
【特許文献１】特開２０１４−１９８００８号公報（段落番号００７７〜００７８、図１、２、４〜７）
【発明の概要】
【発明が解決しようとする課題】
【０００４】
上記の構成では、燃料タンクに対する燃料補給やメンテナンスなどの補助作業を行う場合には、サイドカバーの車体横外方への突出量が最大又はほぼ最大になる水平姿勢又はほぼ水平姿勢までサイドカバーを上昇揺動操作する必要がある。そのため、サイドカバーの車体横外側に、サイドカバーの水平姿勢又はほぼ水平姿勢への上昇揺動操作を許容する広い空間が存在しない場合には、その広い空間が存在する場所まで収穫機を移動させる手間などを要することになる。
【０００５】
つまり、上記のような収穫機においては、サイドカバーによって横側部が覆い隠された機器に対して補助作業を行う場合の作業性の改善が望まれている。
【課題を解決するための手段】
【０００６】
本発明の課題解決手段では、
走行車体に搭載した機器の横側部を覆い隠すサイドカバーを備えた収穫機において、
前記サイドカバーを、前記横側部を覆い隠す縦向き姿勢で、前記横側部を覆い隠す下降位置と前記横側部を露出させる上昇位置とにわたって上下移動可能に支持する支持機構を備えている。
【０００７】
この手段によると、前述した上下揺動式のサイドカバーに比較して、サイドカバーを上下移動させるときのサイドカバーの車体横外方への突出量を減少させることができる。
【０００８】
これにより、例えば、サイドカバーの車体横外側に、サイドカバーの水平姿勢への上昇揺動操作を許容する広い空間が存在しない場合であっても、収穫機を移動させる手間などを要することなく、サイドカバーによって覆い隠されている機器の横側部を露出させることが可能になり、その機器に対する補助作業が可能になる。
【０００９】
その結果、サイドカバーによって横側部が覆い隠された機器に対して補助作業を行う場合の作業性を改善することができる。
【００１０】
本発明をより好適なものにするための手段の一つとして、
圃場に植立しているトウモロコシを自走しながら収穫し、
前記機器として、収穫したトウモロコシ房状体を処理する作業装置を備え、
前記作業装置の後方に、前記作業装置による処理後のトウモロコシ房状体を貯留する貯留部を配備し、
前記サイドカバーは、前記貯留部の排出側に位置する前記横側部を覆い隠している。
【００１１】
トウモロコシを収穫対象とする収穫機において貯留部に貯留したトウモロコシ房状体を排出する場合は、走行車体に対して貯留部の排出側にある程度の距離をあけた状態で搬送車を横付けし、この搬送車の荷台にトウモロコシ房状体を排出することが一般的である。
【００１２】
つまり、貯留部からトウモロコシ房状体を排出する排出作業時には、走行車体の排出側に排出対象の搬送車などが存在することになる。そのため、例えば、排出側のサイドカバーとして前述した上下揺動式のサイドカバーを採用すると、排出作業時には、サイドカバーの車体横外側に、サイドカバーを上昇揺動操作するために必要な広い空間を確保することができず、サイドカバーをカバー解除状態に切り換えることができない場合がある。
【００１３】
これに対し、この手段においては、排出側のサイドカバーが、作業装置の横側部を覆い隠す縦向き姿勢で上下移動することから、貯留部の排出側に排出対象の搬送車などが存在する場合であっても、排出側のサイドカバーによって覆い隠されている作業装置の横側部を露出させることが可能になり、作業装置に対する排出側からの補助作業が可能になる。
【００１４】
つまり、排出作業を行いながら、作業装置に対する排出側からの補助作業が可能になる。
【００１５】
本発明をより好適なものにするための手段の一つとして、
収穫したトウモロコシ房状体から包葉をむき取る皮むき装置と、
むき取られた包葉と皮むき時にトウモロコシ房状体から取れた種子粒とを前記皮むき装置の下方において選別する選別装置と、
選別された種子粒を前記選別装置の下方において回収する前記作業装置としての回収装置とを備え、
前記回収装置は、前記貯留部の排出側と同じ側に排出部を備えている。
【００１６】
この手段によると、貯留部からトウモロコシ房状体を排出する排出作業中に、排出側のサイドカバーを下降位置から上昇位置に移動させることが可能になり、排出側のサイドカバーによって覆い隠されている回収装置の排出部を露出させることが可能になる。これにより、回収装置に回収された種子粒を回収装置から排出する補助作業を、貯留部の排出側において行うことが可能になる。
【００１７】
つまり、貯留部からトウモロコシ房状体を排出する排出作業を行いながら、貯留部の排出側において回収装置から種子粒を排出する補助作業を行うことができる。
【００１８】
本発明をより好適なものにするための手段の一つとして、
前記サイドカバーが覆い隠す前記横側部の反対側に位置する横側部を覆い隠す別のサイドカバーと、
前記別のサイドカバーを、前記反対側の横側部を覆い隠す閉じ位置と前記反対側の横側部を露出させる開き位置とにわたって縦軸心回りに揺動可能に支持する支持部とを備えている。
【００１９】
この手段によると、別のサイドカバーの開閉操作に要する労力を軽減することができ、別のサイドカバーによって覆い隠されている機器の横側部を軽い操作で露出させることが可能になる。
【００２０】
本発明をより好適なものにするための手段の一つとして、
前記反対側の横側部に、前記機器に備えた複数の駆動部に伝動する伝動装置を備え、
前記別のサイドカバーは、前記閉じ位置においては前記伝動装置を覆い隠し、前記開き位置においては前記伝動装置を露出させている。
【００２１】
この手段によると、開閉操作に要する労力が軽減された別のサイドカバーを閉じ位置から開き位置に揺動変位させることにより、伝動装置を露出させることができる。
【図面の簡単な説明】
【００２２】
【図１】トウモロコシ収穫機の左側面図である。
【図２】トウモロコシ収穫機の右側面図である。
【図３】トウモロコシ収穫機の平面図である。
【図４】トウモロコシ収穫機の背面図である。
【図５】トウモロコシ収穫機の伝動系統図である。
【図６】第２サイドカバーを支持する支持機構の構造などを示す要部の縦断左側面図である。
【図７】皮むき装置の構造などを示す要部の縦断左側面図である。
【図８】皮むき装置及び第７伝動装置の構造を示す要部の横断平面図である。
【図９】回収箱が回収位置に位置する状態の回収装置を示す要部の縦断背面図である。
【図１０】回収箱が排出位置に位置する状態の回収装置を示す要部の縦断背面図である。
【図１１】回収箱の斜視図である。
【図１２】貯留部が排出位置に位置する状態で第２サイドカバーを開いて回収箱を排出位置に位置させた状態を示すトウモロコシ収穫機などの背面図である。
【図１３】支持機構の支持に基づく第２サイドカバーの開閉状態を示す要部の縦断背面図である。
【図１４】第２サイドカバーを支持する支持機構の構造を示す要部の拡大縦断左側面図である。
【図１５】支持部の支持に基づく第３サイドカバーの開閉状態を示す要部の右側面図である。
【図１６】支持部の支持に基づく第３サイドカバーの開閉状態を示す要部の縦断背面図である。
【発明を実施するための形態】
【００２３】
以下、本発明を実施するための形態の一例として、本発明を、収穫機の一例であるトウモロコシ収穫機に適用した実施形態を図面に基づいて説明する。
【００２４】
尚、図１及び図２に記載した矢印の符号Ｆの方向がトウモロコシ収穫機の前側であり、符号Ｕの方向がトウモロコシ収穫機の上側である。
又、図３に記載した矢印の符号Ｆの方向がトウモロコシ収穫機の前側であり、符号Ｒの方向がトウモロコシ収穫機の右側である。
【００２５】
図１〜４に示すように、本実施形態で例示するトウモロコシ収穫機は、走行車体１０の前部に収穫装置２０を連結している。又、走行車体１０に、収穫物処理用の作業装置Ａ１を含む複数の機器Ａを搭載している。そして、これらにより、トウモロコシ収穫機は、自走しながら、圃場に植立しているトウモロコシから茎頂部分のトウモロコシ房状体を収穫する。尚、本実施形態では、３条のトウモロコシを収穫対象とするトウモロコシ収穫機を例示しているが、トウモロコシ収穫機は、２条以下のトウモロコシを収穫対象とするもの、又は、４条以上のトウモロコシを収穫対象とするものであってもよい。
【００２６】
具体的には、トウモロコシ収穫機は、乗用型の走行車体１０の前部に、収穫走行時にトウモロコシ房状体を収穫する収穫装置２０を連結している。又、走行車体１０に、エンジン１（機器Ａの一例）、燃料タンク２（機器Ａの一例）、収穫したトウモロコシ房状体に対して皮むき処理を行う皮むき装置３０（機器Ａ及び作業装置Ａ１の一例）、皮むき装置３０の下方において選別処理を行う選別装置４０（機器Ａ及び作業装置Ａ１の一例）、及び、選別装置４０の下方において回収処理を行う回収装置５０（機器Ａ及び作業装置Ａ１の一例）、などを搭載している。
【００２７】
又、トウモロコシ収穫機は、皮むき装置３０の後方に、皮むき処理後のトウモロコシ房状体を貯留する貯留部６０を配備している。そして、走行車体１０の下腹部に、トウモロコシ房状体の収穫後に圃場に残るトウモロコシの茎部（残稈）などに対して細断処理を行う残稈処理装置７０、を配備している。
【００２８】
走行車体１０は、車体フレーム１１、キャビン１２により覆われた運転部１３、エンジン１からの動力を変速する変速装置１５、駆動可能な左右の前輪１６、及び、操舵可能な左右の後輪１７、などを備えている。そして、運転部１３を、走行車体１０の前端部に備えた左右の前輪１６の上方に配備し、変速装置１５を、左右の前輪１６の間に配備している。又、エンジン１を、走行車体１０における運転部１３の後下方箇所に搭載している。
【００２９】
車体フレーム１１は、収穫装置２０などを支持する車体前側の第１フレーム部１１Ａ、皮むき装置３０などを支持する前後中間側の第２フレーム部１１Ｂ、及び、貯留部６０などを支持する車体後側の第３フレーム部１１Ｃ、などを備えている。第１フレーム部１１Ａは、その左側の端部に、運転部１３に対する乗降用のデッキ１１Ｄとステップ１１Ｅとを備えている。第２フレーム部１１Ｂは、その左側部の上部側に、デッキ１１Ｄからの乗り移りが可能な補助デッキ１１Ｆを備えている。デッキ１１Ｄは、左側の前輪１６の上方に位置している。補助デッキ１１Ｆは、左側の後輪１７などの上方に位置している。
【００３０】
図１〜３及び図５に示すように、収穫装置２０は、第１フレーム部１１Ａに左右向きの第１支軸２１を介して昇降揺動可能に連結している。又、収穫装置２０は、走行車体１０と収穫装置２０とに架設した第１油圧シリンダ２２の伸縮作動により、第１支軸２１の軸心回りに昇降揺動する。そして、これらにより、第１油圧シリンダ２２による収穫装置２０の高さ調節を可能にしている。
【００３１】
収穫装置２０は、左右方向に並ぶ３組の収穫搬送機構２３、及び、各収穫搬送機構２３にわたる左右向き姿勢で各収穫搬送機構２３の後方に位置するオーガ２４、などを備えている。
【００３２】
各収穫搬送機構２３は、左右一対の無端搬送チェーン２３Ａと、各無端搬送チェーン２３Ａの下方に配置する左右一対の収穫ロール２３Ｂとを、後上がりの傾斜姿勢で備えている。左右一対の無端搬送チェーン２３Ａは、圃場に植立しているトウモロコシの茎部を左右一対の収穫ロール２３Ｂの間に案内しながら車体後方に係止搬送する。左右一対の収穫ロール２３Ｂは、それらの軸心を中心にして、それらの対向箇所が互いに下向きに移動する方向に回転する。そして、この回転により、左右一対の収穫ロール２３Ｂは、それらの間に案内されたトウモロコシの茎部を下方に引き下げて、トウモロコシの茎部から茎頂部分のトウモロコシ房状体を分離する。これらにより、収穫装置２０を、３条分のトウモロコシ房状体を収穫することが可能な３条収穫仕様に構成している。
【００３３】
図１〜４、図６及び図７に示すように、オーガ２４は、各収穫搬送機構２３からのトウモロコシ房状体を走行車体１０の左右中央側に寄せ集めて後方のフィーダ３に送り出す。フィーダ３は、オーガ２４からのトウモロコシ房状体を後上方に搬送する。そして、フィーダ３は、運転部１３の上部後方に位置するフィーダ３の搬送終端部に備えた排出口３Ａからトウモロコシ房状体を排出する。又、フィーダ３の搬送終端部には、夾雑物用の排出経路を形成する排出ダクト３Ｂを連接している。排出ダクト３Ｂは、その排出経路の終端に備えた排出口３Ｂａが車体後部の右側端部位に位置するように屈曲している。
【００３４】
図１〜８に示すように、皮むき装置３０は、第２フレーム部１１Ｂの上部に取り付けている。そして、この取り付けにより、皮むき装置３０を、フィーダ３の搬送終端部の後下方箇所に、フィーダ３からのトウモロコシ房状体の受け取りが可能な状態で配備している。
【００３５】
皮むき装置３０は、第２フレーム部１１Ｂの上部に連結するケーシング３１、フィーダ３からのトウモロコシ房状体を皮むき始端部に案内するシュート３２、トウモロコシ房状体から包葉（皮）をむき取る８組の皮むき機構３３、及び、トウモロコシ房状体を車体後方に掻き込み搬送する搬送機構３４、などを備えている。
【００３６】
ケーシング３１は、搬送機構３４を支持する左右の側壁部材３１Ａ，３１Ｂ、及び、皮むき機構３３を支持する前後の支持部材３１Ｃ，３１Ｄ、などを備えている。そして、左右の側壁部材３１Ａ，３１Ｂを前後の支持部材３１Ｃ，３１Ｄなどで連結することにより、ケーシング３１を枠状に形成している。
【００３７】
シュート３２は、ケーシング３１の前端部に後下がりの傾斜姿勢で備えている。又、シュート３２は、シュート３２の下方に備えた送風機４からの選別搬送風の通過を許容する複数のスリット３２Ａと、トウモロコシ房状体を各皮むき機構３３に分散案内する複数の案内部３２Ｂとを備えている。
【００３８】
選別搬送風は、シュート３２の各スリット３２Ａを通過した後、フィーダ３の排出口３Ａに向かい、フィーダ３の排出口３Ａから排出ダクト３Ｂの内部を通って排出ダクト３Ｂの排出口３Ｂａから流出する。これにより、フィーダ３にてトウモロコシ房状体とともにフィーダ３の排出口３Ａまで搬送されたトウモロコシの茎部の一部や葉部の一部などの夾雑物を、風力選別して排出ダクト３Ｂの内部に送り込み、排出ダクト３Ｂの内部を通して排出ダクト３Ｂの排出口３Ｂａから車体右外方に排出することができる。
【００３９】
図６及び図７に示すように、排出ダクト３Ｂは、その前端下部に、フィーダ３からのトウモロコシ房状体を受け止めてシュート３２の案内始端部に案内する２つの案内部材３Ｂｂを備えている。これにより、フィーダ３からのトウモロコシ房状体をシュート３２の案内始端部に確実に供給することができる。その結果、シュート３２の各案内部３２Ｂによる各皮むき機構３３へのトウモロコシ房状体の分散案内を好適に行うことができる。
【００４０】
図５〜８に示すように、各皮むき機構３３は、後下がりの傾斜姿勢で左右に近接して並ぶ第１ロール３３Ａと第２ロール３３Ｂとを備えている。第１ロール３３Ａ及び第２ロール３３Ｂは、それらの軸心を中心にして、それらの対向箇所が互いに下向きに移動する方向に回転する。そして、この回転により、第１ロール３３Ａ及び第２ロール３３Ｂは、シュート３２で案内されたトウモロコシ房状体の包葉を挟み込んで引き下げることによってトウモロコシ房状体からむき取り、むき取った包葉を下方に排出する。第２ロール３３Ｂは、その回転に伴ってトウモロコシ房状体を車体後方に送り出す螺旋状に形成している。これらにより、各皮むき機構３３は、トウモロコシ房状体に対して包葉をむき取りながら車体後方に搬送する皮むき処理を行う。
【００４１】
搬送機構３４は、シュート３２の案内終端部に位置するトウモロコシ房状体を皮むき始端部に掻き込み搬送する第１回転体３４Ａ（駆動部Ａａの一例）、皮むき処理中のトウモロコシ房状体を車体後方に掻き込み搬送する例えば５連（４連以下又は６連以上でも可）の第２回転体３４Ｂ（駆動部Ａａの一例）、及び、皮むき終端部のトウモロコシ房状体を後方の貯留部６０に掻き込み搬送する第３回転体３４Ｃ（駆動部Ａａの一例）、を備えている。これらにより、搬送機構３４は、トウモロコシ房状体をシュート３２の案内終端部から貯留部６０に搬送する搬送処理を行う。
【００４２】
尚、以下において、５連の第２回転体３４Ｂは、搬送機構３４の搬送方向上手側から順に、１番目の第２回転体３４Ｂ、２番目の第２回転体３４Ｂ、３番目の第２回転体３４Ｂ、４番目の第２回転体３４Ｂ、５番目の第２回転体３４Ｂ、と称する。
【００４３】
上記の構成により、皮むき装置３０は、シュート３２で案内されたトウモロコシ房状体に対して適切な皮むき処理を行うことができる。これにより、皮むき処理後のトウモロコシ房状体を貯留部６０に貯留することができる。又、トウモロコシ房状体からむき取った包葉を下方に排出することができる。
【００４４】
図１、図２及び図４〜６に示すように、選別装置４０は、第２フレーム部１１Ｂの上下中間部に取り付けている。そして、この取り付けにより、選別装置４０を皮むき装置３０の下方に配備している。
【００４５】
選別装置４０は、第２フレーム部１１Ｂに前下がりの傾斜姿勢で前後揺動可能に支持された揺動選別体４１、及び、揺動選別体４１を前後方向に揺動駆動する偏芯カム式の駆動機構４２（駆動部Ａａの一例）、などを備えている。揺動選別体４１は、皮むき装置３０から下方に排出された包葉、及び、皮むき装置３０による皮むき時にトウモロコシ房状体から取れ落ちた種子粒、などを選別処理物として受け止める。そして、揺動選別体４１は、駆動機構４２にて揺動駆動されることにより、選別処理物を車体前方に移送しながら回収対象の種子粒と包葉などの夾雑物とに篩い分け、篩い分けた種子粒を漏下させるとともに夾雑物を揺動選別体４１の前端から残稈処理装置７０の前方に排出する。このように、選別装置４０は、皮むき装置３０からの選別処理物に対して種子粒を選別して漏下させる選別処理を行う。
【００４６】
図１、図２、図４、図６及び図９〜１２に示すように、回収装置５０は、第２フレーム部１１Ｂの下部に取り付けている。そして、この取り付けにより、回収装置５０を選別装置４０の下方に配備している。
【００４７】
回収装置５０は、選別装置４０から漏下した種子粒を回収する回収箱５１、及び、回収箱５１を左右方向に移動可能に支持する支持機構５２、などを備えている。これにより、回収装置５０は、回収箱５１の回収位置と排出位置とにわたる左右方向への移動を許容している。回収位置は、選別装置４０から漏下した種子粒を回収箱５１にて回収するのに適した選別装置４０の下方位置に設定している。排出位置は、回収箱５１に回収した種子粒の車体左外側からの取り出しを行い易くするために、回収位置よりも車体左側の位置に設定している。
【００４８】
回収箱５１は、回収位置において選別装置４０の下方に位置する貯留部５１Ａ、貯留部５１Ａの左端部に連接した排出部５１Ｂ、貯留部５１Ａと排出部５１Ｂとの連通箇所を開閉する着脱式のシャッタ５１Ｃ、排出部５１Ｂの左横外方に延出する把手５１Ｄ、及び、種子粒を貯留する種子袋１００を支持する前後一対の支持杆５１Ｅ、などを備えている。排出部５１Ｂは、種子粒を下方に排出するように底部を開放している。シャッタ５１Ｃは、回収箱５１から取り外した場合に、貯留部５１Ａから排出部５１Ｂに種子粒を掻き込む掻込具として使用することができる。
【００４９】
支持機構５２は、第２フレーム部１１Ｂの左側下部に配置した前後の案内輪５２Ａ、回収箱５１の右端下部に配置した前後の転輪５２Ｂ、及び、第２フレーム部１１Ｂの右側下部に左右向きに配置した前後の案内レール５２Ｃ、などを備えている。前後の案内輪５２Ａは、回収箱５１の左側の底面を下方から左右方向に移動可能に支持している。前後の案内レール５２Ｃは、前後の転輪５２Ｂを介して回収箱５１の右端部を左右方向に移動可能に支持している。又、前後の案内レール５２Ｃは、右半部の案内面が水平になり、左側の案内面が左上がり傾斜し、左端部の案内面が左下がり傾斜するように屈曲している。そして、前後の案内輪５２Ａ及び前後の案内レール５２Ｃによる回収箱５１の支持高さを、回収位置を含む回収位置側では、回収箱５１の姿勢が種子粒の回収に適した水平姿勢になり、排出位置側では、排出位置に近いほど、回収箱５１の姿勢が傾斜角の大きい左下がりの傾斜姿勢になり、排出位置では、回収箱５１の姿勢が種子粒の排出に適した左下がりの傾斜姿勢になるように設定している。
【００５０】
回収箱５１は、底面の左端部から下方に突出する第１突出部５１Ｆと、底面の左右中間部から下方に突出する第２突出部５１Ｇとを備えている。第１突出部５１Ｆは、前後の案内輪５２Ａとの接触により、回収箱５１の回収位置から排出位置側（車体左側）への移動を抑制する。そして、回収位置では、前後の転輪５２Ｂが、前後の案内レール５２Ｃの右端部に備えたストッパ５２Ｄに接触する。これにより、回収箱５１の回収位置での保持を可能にしている。第２突出部５１Ｇは、前後の案内輪５２Ａとの接触により、回収箱５１の排出位置から車体左側への移動を抑制する。そして、排出位置では、回収箱５１が左下がりの傾斜姿勢になり、前後の転輪５２Ｂが、前後の案内レール５２Ｃにおいて左下がり傾斜する左端部の案内面上に位置する。これにより、回収箱５１の排出位置での保持を可能にしている。
【００５１】
回収装置５０は、回収箱５１の回収位置への到達に伴って回収箱５１を自動的に回収位置に固定するロック機構５３を備えている。ロック機構５３は、圧縮バネ５３Ａの作用に抗したロックピン５３Ｂの引き上げ操作により、回収箱５１の回収位置での固定を解除することができる。これにより、例えば走行中に、回収箱５１の第１突出部５１Ｆが前後の案内輪５２Ａを乗り越える虞のある大きい振動などが発生した場合であっても、回収箱５１を回収位置に確実に保持することができる。
【００５２】
図１、図２、図４及び図１２に示すように、燃料タンク２は、走行車体１０における回収装置５０の下方箇所に搭載している。燃料タンク２の給油口２Ａは、走行車体１０の左側端部に位置している。これにより、燃料タンク２に対する給油は、走行車体１０の左外方から行うことができる。
【００５３】
図１〜４及び図１２に示すように、貯留部６０は、第３フレーム部１１Ｃに備えた前後向きの第２支軸１１Ｃａに取り付けている。そして、この取り付けにより、貯留部６０を、皮むき装置３０と選別装置４０と回収装置５０の後方に、第２支軸１１Ｃａの軸心回りに昇降揺動可能に配備している。
【００５４】
貯留部６０は、第３フレーム部１１Ｃと貯留部６０とに架設した前後の第２油圧シリンダ６１の伸縮作動により、下方の貯留位置と上方の排出位置とにわたって、第２支軸１１Ｃａの軸心回りに昇降揺動する。そして、貯留位置での貯留部６０の姿勢を、貯留部６０の開口６０Ａが貯留部６０の上端に位置する貯留姿勢に設定している。又、排出位置での貯留部６０の姿勢を、貯留部６０の開口６０Ａが貯留部６０の左端に位置する排出姿勢に設定している。これらにより、貯留部６０は、貯留位置では、皮むき装置３０からの皮むき処理後のトウモロコシ房状体を貯留し、かつ、排出位置では、貯留したトウモロコシ房状体を車体左外方に排出する。
【００５５】
貯留部６０は、貯留位置では貯留部６０の左側板となる板体６２の貯留位置での姿勢を、左側に傾く左傾姿勢に設定している。これにより、貯留部６０の揺動範囲を大きくすることなく、排出位置では貯留部６０の底板となる板体６２の排出位置での姿勢を、貯留部６０に貯留したトウモロコシ房状体の車体左外方への排出に適した左下がりの傾斜姿勢にすることができる。
【００５６】
第３フレーム部１１Ｃは、その上端部が補助デッキ１１Ｆの左端位置よりも車体左外側に位置するように左上方に延出している。これにより、第３フレーム部１１Ｃの上端部が走行車体１０の左端部となっている。そして、第３フレーム部１１Ｃは、その上端部に第２支軸１１Ｃａを備えている。
【００５７】
貯留部６０は、貯留位置では左傾姿勢の左側板となる板体６２の上部側を第２支軸１１Ｃａに取り付けている。これにより、貯留部６０の貯留位置では、貯留部６０の左上端部となる板体６２の一端部６２Ａが、走行車体１０の左端部よりも車体左外側の第１設定位置に位置する。そして、貯留部６０の排出位置では、貯留部６０の排出側下端部となる板体６２の一端部６２Ａが、第１設定位置よりも車体左外側の第２設定位置に位置する。これにより、例えば、貯留部６０に貯留したトウモロコシ房状体を搬送車Ｂの荷台Ｂａに排出する場合には、貯留部６０を排出位置に上昇揺動させたときに、荷台Ｂａの側端部が、排出位置に位置する板体６２の一端部６２Ａの真下に位置する状態が得られるように、搬送車Ｂをトウモロコシ収穫機に対して貯留部６０の排出側にある程度の距離をあけた状態で横付けしておくことにより、貯留部６０から搬送車Ｂの荷台Ｂａへのトウモロコシ房状体の排出を良好に行うことができる。
【００５８】
図１、図２及び図５に示すように、残稈処理装置７０は、左右向きの左右の第３支軸７１を介して車体フレーム１１の下部に取り付けている。そして、この取り付けにより、残稈処理装置７０を、第３支軸７１の軸心回りに昇降揺動可能な状態で、走行車体１０における左右の前輪１６と左右の後輪１７との間の下腹部に配備している。又、残稈処理装置７０は、走行車体１０に備えた第３油圧シリンダ７２の作動により、第３支軸７１の軸心回りに昇降揺動する。
【００５９】
残稈処理装置７０は、ハンマーナイフ式の切断回転体７３、切断回転体７３を上方から覆うカバー７４、及び、収穫走行時に接地する接地ローラ７５、などを備えている。切断回転体７３は、その左右両端の回転中心位置に左右向きに備えた回転軸部７３Ａの軸心回りに回転する。そして、この回転により、切断回転体７３は、カバー７４の内部において、圃場の残稈及び選別装置４０からの夾雑物などを細断する。このように、残稈処理装置７０は、圃場の残稈及び選別装置４０からの夾雑物などに対して細断処理を行う。
【００６０】
図１〜３、図５、図７、図８及び図１５に示すように、このトウモロコシ収穫機は、エンジン１からの動力を、走行装置の一例である左右の前輪１６に伝達する走行伝動系８０と、収穫装置２０及び皮むき装置３０などに伝達する作業伝動系９０とを備えている。
【００６１】
走行伝動系８０は、エンジン１からの動力を、ベルト式の第１伝動装置８１、左右向きの第１中継軸８２、及び、ベルト式の第２伝動装置８３、を介して変速装置１５に伝達している。そして、変速装置１５による変速後の動力を左右の前輪１６に伝達している。
【００６２】
作業伝動系９０は、エンジン１からの動力を、ベルトテンション式のクラッチ９１を介して左右向きの第２中継軸９２に伝達している。そして、作業伝動系９０は、第２中継軸９２から収穫装置２０の入力軸２５に伝動する第１伝動ユニット９０Ａ、第２中継軸９２から送風機４の駆動軸４Ａに伝動するベルト式の第３伝動装置９３、第２中継軸９２から残稈処理装置７０の入力軸である左側の回転軸部７３Ａに伝動する第２伝動ユニット９０Ｂ、送風機４の駆動軸４Ａから取り出した動力をフィーダ３の駆動軸３Ｃに伝動するチェーン式の第４伝動装置９４、及び、送風機４の駆動軸４Ａから取り出した動力を皮むき装置３０の入力軸３５と選別装置４０の駆動軸４３とに伝達する第３伝動ユニット９０Ｃ、などを備えている。
【００６３】
作業伝動系９０のうち、クラッチ９１、第２中継軸９２、第３伝動装置９３、第２伝動ユニット９０Ｂ、及び、第４伝動装置９４、などは、走行車体１０の左側に配備している。又、第３伝動ユニット９０Ｃなどは、走行車体１０の右側に配備している。
【００６４】
図５、図７、図８及び図１５に示すように、第３伝動ユニット９０Ｃは、送風機４の駆動軸４Ａから皮むき装置３０の入力軸３５にトルクリミッタ９５Ａを介して伝動するチェーン式の第５伝動装置９５、入力軸３５から各皮むき機構３３の第１ロール３３Ａと第２ロール３３Ｂとに伝動するギヤ式の第６伝動装置９６、入力軸３５から搬送機構３４の各回転体３４Ａ〜３４Ｃに伝動するチェーン式の第７伝動装置９７（伝動装置Ｃの一例）、及び、入力軸３５から選別装置４０の駆動軸４３に伝達するチェーン式の第８伝動装置９８（伝動装置Ｃの一例）、などを備えている。
【００６５】
第７伝動装置９７は、入力軸３５から搬送機構３４の第１回転体３４Ａと１番目の第２回転体３４Ｂと第３回転体３４Ｃとに伝動する第１チェーン式伝動機構９７Ａ、１番目の第２回転体３４Ｂから２番目の第２回転体３４Ｂに減速伝動する第２チェーン式伝動機構９７Ｂ、２番目の第２回転体３４Ｂから３番目の第２回転体３４Ｂに伝動する第３チェーン式伝動機構９７Ｃ、３番目の第２回転体３４Ｂから４番目の第２回転体３４Ｂに伝動する第４チェーン式伝動機構９７Ｄ、及び、４番目の第２回転体３４Ｂから５番目の第２回転体３４Ｂに伝動する第５チェーン式伝動機構９７Ｅ、を備えている。
【００６６】
図１〜４、図６及び図１２〜１６に示すように、走行車体１０は、走行車体１０に搭載した機器Ａの左側部（横側部の一例）を覆い隠す第１サイドカバー５と第２サイドカバー６（サイドカバーの一例）とを備えている。又、走行車体１０は、走行車体１０に搭載した機器Ａの右側部（反対側の横側部の一例）を覆い隠す第３サイドカバー７（別のサイドカバーの一例）を備えている。
【００６７】
つまり、走行車体１０に搭載した機器Ａの左右の横側部のうち、貯留部６０の排出側に位置する左側部を、第１サイドカバー５及び第２サイドカバー６により覆い隠している。又、走行車体１０に搭載した機器Ａの左右の横側部のうち、貯留部６０の排出側とは反対側に位置する右側部を、第３サイドカバー９２により覆い隠している。
【００６８】
第１サイドカバー５は、エンジン１及びクラッチ９１などの左側部を覆い隠すように、走行車体１０の左側端部の前側に配備している。第２サイドカバー６は、選別装置４０及び回収装置５０などの左側部、並びに、燃料タンク２の給油口２Ａなどを覆い隠すように、走行車体１０の左側端部の後側に配備している。第３サイドカバー７は、選別装置４０及び回収装置５０などの右側部、並びに、皮むき装置３０の右側部に備えた第７伝動装置９７及び第８伝動装置９８などを覆い隠すように、走行車体１０の右側端部に配備している。
【００６９】
図１及び図３に示すように、第１サイドカバー５は、補助デッキ１１Ｆの左端部に、前後向きの前後の第４支軸５Ａを介して、各第４支軸５Ａの軸心回りに上下揺動可能に取り付けている。そして、この取り付けにより、第１サイドカバー５は、補助デッキ１１Ｆよりも下方に位置するエンジン１及びクラッチ９１などの左側部を覆い隠す下降位置と、エンジン１及びクラッチ９１などの左側部を露出させる上昇位置とにわたって上下揺動する。第１サイドカバー５は、下降位置では、前後の第４支軸５Ａから下方に延出する垂下姿勢になり、上昇位置では、前後の第４支軸５Ａから車体左外方に延出する水平姿勢になる。
【００７０】
走行車体１０は、第１サイドカバー５を上昇位置に揺動付勢するダンパ（図示せず）を備えている。ダンパは、第１サイドカバー５と第２フレーム部１１Ｂとに架設している。第１サイドカバー５は、第２フレーム部１１Ｂに備えた被螺合具（図示せず）への螺合により、ダンパの作用に抗して第１サイドカバー５を下降位置に固定するノブ付きボルト５Ｂを備えている。
【００７１】
図１、図３、図４、図６及び図１２〜１４に示すように、走行車体１０は、第２サイドカバー６を、選別装置４０及び回収装置５０などの左側部を覆い隠す縦向き姿勢で、選別装置４０及び回収装置５０などの左側部を覆い隠す下降位置と、選別装置４０及び回収装置５０などの左側部を露出させる上昇位置とにわたって上下移動可能に支持する支持機構８を備えている。これにより、第２サイドカバー６を下降位置と上昇位置とにわたって上下移動させるときの第２サイドカバー６の車体左外方への突出量を、上下揺動式の第１サイドカバー５を下降位置と上昇位置とにわたって上下揺動させるときの第１サイドカバー５の車体左外方への突出量よりも減少させることができる。
【００７２】
そして、このように第２サイドカバー６の車体左外方への突出量が減少することにより、例えば、第１サイドカバー５及び第２サイドカバー６の車体左外側に、第１サイドカバー５の上昇位置への上昇揺動操作を許容する広い空間が存在しない場合であっても、第２サイドカバー６の上昇位置への上昇変位を許容する空間があれば、トウモロコシ収穫機を移動させる手間などを要することなく、第２サイドカバー６によって覆い隠されている選別装置４０及び回収装置５０などの左側部、並びに、燃料タンク２の給油口２Ａなどを露出させることが可能になる。その結果、車体左外方からの選別装置４０及び回収装置５０などに対するメンテナンス、並びに、燃料タンク２への燃料補給、などの補助作業が行い易くなる。
【００７３】
第２サイドカバー６は、補助デッキ１１Ｆの左外側において下降位置と上昇位置とにわたって上下移動する。そして、第２サイドカバー６の下降位置では、第２サイドカバー６の上端部が補助デッキ１１Ｆの左側端部の左外側に隣接し、第２サイドカバー６の上昇位置では、第２サイドカバー６の下端部が補助デッキ１１Ｆの左側端部の左外側に隣接するように、第２サイドカバー６の下降位置と上昇位置とを設定している。
【００７４】
第２フレーム部１１Ｂは、左側部の上下中間部位に、補助デッキ１１Ｆを支持する前後の第１支持部材１１Ｂａを左右向き姿勢で備えている。又、第２フレーム部１１Ｂは、前後の第１支持部材１１Ｂａの下方に前後の第２支持部材１１Ｂｂを左右向き姿勢で備えている。
【００７５】
支持機構８は、前後の第１支持部材１１Ｂａの左端部に上下揺動可能に連結する前後の第１揺動部材８Ａと、前後の第２支持部材１１Ｂｂの左端部に上下揺動可能に連結する前後の第２揺動部材８Ｂとを備えている。前後の第１揺動部材８Ａは、それらの遊端部を第２サイドカバー６の前後両端部の上下中間部位に前後向きの第５支軸８Ｃを介して連結している。前後の第２揺動部材８Ｂは、それらの遊端部に備えた前後向きの支軸部８Ｂａを、第２サイドカバー６の前後両端部の下端部位に枢支連結している。これらにより、支持機構８は、第２フレーム部１１Ｂに第２サイドカバー６を上下移動可能に連結している。そして、この連結により、第２フレーム部１１Ｂと第２サイドカバー６と支持機構８とが、平行リンク又は平行リンクに近い四節リンクを構成するように、第２フレーム部１１Ｂに対する前後の第１揺動部材８Ａ及び前後の第２揺動部材８Ｂの連結位置、第２サイドカバー６に対する前後の第１揺動部材８Ａ及び前後の第２揺動部材８Ｂの連結位置、並びに、前後の第１揺動部材８Ａ及び前後の第２揺動部材８Ｂの各連結点間長さ、などを適正に設定している。これにより、第２サイドカバー６を縦向き姿勢で下降位置と上昇位置とにわたって上下移動させることができる。
【００７６】
支持機構８は、後側の第１支持部材１１Ｂａと後側の第５支軸８Ｃとに架設する引っ張りバネ８Ｄを備えている。引っ張りバネ８Ｄは、前後の第１揺動部材８Ａの各揺動支軸８Ｅを境にして、引っ張りバネ８Ｄが揺動支軸８Ｅよりも下側に位置する状態では、第２サイドカバー６を下方に揺動付勢し、逆に、引っ張りバネ８Ｄが各揺動支軸８Ｅよりも上側に位置する状態では、第２サイドカバー６を上方に揺動付勢する。又、引っ張りバネ８Ｄの長さを、第２サイドカバー６の下降位置への到達に伴って下方への揺動付勢を解除し、かつ、第２サイドカバー６の上昇位置への到達に伴って上方への揺動付勢を解除する長さに設定している。そして、この引っ張りバネ８Ｄの作用により、第２サイドカバー６の下降位置側での下降操作、及び、第２サイドカバー６の上昇位置側での上昇操作を行い易くしているとともに、第２サイドカバー６の下降位置及び上昇位置での保持を可能にしている。
【００７７】
図４、図６及び図１２〜１４に示すように、前後の第１揺動部材８Ａ及び前後の第２揺動部材８Ｂは、それらの長さを、第２サイドカバー６の上下長さよりも短い長さに設定している。これにより、例えば第２サイドカバー６を第１サイドカバー５と同様の上下揺動式に構成する場合よりも、第２サイドカバー６を下降位置と上昇位置とにわたって上下移動させるときの第２サイドカバー６の車体左外方への突出量を減少させている。
【００７８】
具体的には、第２サイドカバー６の上下長さを、選別装置４０及び回収装置５０などの左側部を覆い隠すことが可能な上下長さに設定している。そして、前後の第１揺動部材８Ａ及び前後の第２揺動部材８Ｂの長さを、第２サイドカバー６の上下長さの約半分の長さに設定している。又、前後の第１揺動部材８Ａ及び前後の第２揺動部材８Ｂの揺動範囲を、１８０度に近い１８０度よりも小さい揺動範囲に設定している。そして、このように設定することで、第２サイドカバー６を、第２サイドカバー６の上下長さと略同じ距離で上下移動させるようにしながら、第２サイドカバー６を上下移動させるときの第２サイドカバー６の車体左外方への最大突出量を、第２サイドカバー６の上下長さの約半分に減少させている。
【００７９】
これにより、第２サイドカバー６を、選別装置４０及び回収装置５０などの左側部を覆い隠す下降位置と、選別装置４０及び回収装置５０などの左側部を露出させる上昇位置とにわたって、上下移動させるようにしながら、第２サイドカバー６の位置が、第２サイドカバー６の車体左外方への突出量が最大になる上下中間位置であっても、第２サイドカバー６の左端部が、トウモロコシ房状体の排出のためにトウモロコシ収穫機に横付けした搬送車Ｂの荷台Ｂａの側端部よりも車体側に位置する状態を得ることができる。
【００８０】
つまり、貯留部６０の排出側となる車体左側に排出対象の搬送車Ｂなどが存在する場合であっても、第２サイドカバー６によって覆い隠されている選別装置４０及び回収装置５０などの左側部を露出させることできる。その結果、貯留部６０から排出対象箇所にトウモロコシ房状体を排出する排出作業を行いながら、選別装置４０及び回収装置５０などに対するメンテナンスなどの補助作業を、貯留部６０の排出側となる車体左側から合理的に行うことができる。
【００８１】
図１、図４、図６、図１３及び図１４に示すように第２サイドカバー６は、第２フレーム部１１Ｂに備えた被螺合具１１Ｂｃへの螺合により、第２サイドカバー６を下降位置に固定するノブ付きボルト６Ａを備えている。これにより、走行時の振動などに起因して、第２サイドカバー６が下降位置の付近で揺動して第２フレーム部１１Ｂなどに衝突することによる騒音の発生を防止している。
【００８２】
図４及び図１２に示すように、回収箱５１の排出部５１Ｂは、回収箱５１の回収位置では、左側の後輪１７の外側端よりも車体内側に位置し、かつ、回収箱５１の排出位置では、左側の後輪１７の外側端よりも車体外側に位置する。これにより、回収箱５１に回収された種子粒を排出部５１Ｂから種子袋１００に取り出す場合に、左側の後輪１７が邪魔になることを回避している。
【００８３】
回収箱５１の排出位置は、排出位置において最大になる回収箱５１の車体左外方への突出量が、第２サイドカバー６の車体左外方への最大突出量よりも小さくなる位置に設定している。これにより、貯留部６０の排出側となる車体左側に排出対象の搬送車Ｂなどが存在する場合であっても、第２サイドカバー６によって覆い隠されている回収装置５０の左側部を露出させることできる上に、回収装置５０の回収箱５１を排出位置に移動させることができる。その結果、貯留部６０から排出対象箇所にトウモロコシ房状体を排出する排出作業を行いながら、回収箱５１に回収された種子粒を排出部５１Ｂから種子袋１００に取り出す補助作業を、貯留部６０の排出側となる車体左側から合理的に行うことができる。
【００８４】
図２〜４、図１２、図１５及び図１６に示すように、走行車体１０は、第３サイドカバー７を、選別装置４０及び回収装置５０の右側部などを覆い隠す閉じ位置と、選別装置４０及び回収装置５０の右側部などを露出させる開き位置とにわたって、縦軸心回りに揺動可能に支持する支持部９を備えている。これにより、例えば第３サイドカバー７を第１サイドカバー５と同様の上下揺動式に構成する場合よりも、第３サイドカバー７の開閉操作に要する労力を軽減することができる。特に、第３サイドカバー７の上下長さが長いほど、上下揺動式の場合よりも、第３サイドカバー７の開閉操作に要する労力を大幅に軽減することができる。そして、第３サイドカバー７を開き位置に位置させることにより、第３サイドカバー７によって覆い隠されている選別装置４０及び回収装置５０の右側部、並びに、第７伝動装置９７及び第８伝動装置９８、などを露出させることができる。その結果、車体右外方からの選別装置４０、回収装置５０、第７伝動装置９７、及び、第８伝動装置９８、などに対するメンテナンスなどの補助作業を行うことができる。
【００８５】
走行車体１０は、第２フレーム部１１Ｂの右側端部に前後の支柱部材１８を備えている。前後の支柱部材１８は、それらの上部と上下中間部と下部とのそれぞれに支持部９を備えている。各支持部９には、縦軸心を備えるヒンジを採用している。
【００８６】
第３サイドカバー７は、同じ矩形状の前後のカバー体７Ａ，７Ｂを備えている。前側のカバー体７Ａは、その前端部を前側の支柱部材１８に３つの支持部９を介して取り付けている。後側のカバー体７Ｂは、その後端部を後側の支柱部材１８に３つの支持部９を介して取り付けている。これらの取り付けにより、前後のカバー体７Ａ，７Ｂは、それぞれの縦軸心回りに閉じ位置と開き位置とにわたって揺動する。つまり、第３サイドカバー７は、前後のカバー体７Ａ，７Ｂが閉じ位置に位置することで選別装置４０及び回収装置５０の右側部などを覆い隠すことができる。又、第３サイドカバー７は、前後のカバー体７Ａ，７Ｂが開き位置に位置することで、前後のカバー体７Ａ，７Ｂの間において選別装置４０及び回収装置５０の右側部などを露出させることができる。これにより、例えば第３サイドカバー７として前後に長い単一のカバー体を備える場合よりも、第３サイドカバー７の開閉操作に要する労力を軽減することができる。又、例えば、第３サイドカバー７の車体右外側に、前後に長い単一のカバー体からなる第３サイドカバー７の開き位置への開き操作を許容する広い空間が存在しない場合であっても、トウモロコシ収穫機を移動させる手間などを要することなく、第３サイドカバー７によって覆い隠されている選別装置４０及び回収装置５０の右側部、並びに、第７伝動装置９７及び第８伝動装置９８、などを露出させることが可能になる。その結果、車体右外方からの選別装置４０、回収装置５０、第７伝動装置９７、及び、第８伝動装置９８、などに対するメンテナンスなどの補助作業が行い易くなる。
【００８７】
図２、図４、図１５及び図１６に示すように、走行車体１０は、第３サイドカバー７の閉じ位置への到達に伴って第３サイドカバー７を自動的に閉じ位置に固定するロック機構１９を備えている。これにより、走行時の振動などに起因して、第３サイドカバー７が閉じ位置の付近で揺動して第２フレーム部１１Ｂなどに衝突することによる騒音の発生を防止している。
【００８８】
ロック機構１９は、第２フレーム部１１Ｂの右側端部に縦向きに固定した前後の被係止杆１１Ｂｄ、前後のカバー体７Ａ，７Ｂに備えた係止具７Ａａ，７Ｂａ、及び、係止具７Ａａ，７Ｂａを前後の被係止杆１１Ｂｄに係止付勢するバネ（図示せず）、などにより構成している。各係止具７Ａａ，７Ｂａは、バネの作用に抗した解除操作を車体右外方から行うことができる。
【００８９】
〔別実施形態〕
本発明は、上記の実施形態で例示した構成に限定されるものではなく、以下、本発明の代表的な別実施形態を例示する。
【００９０】
〔１〕走行車体１０は、例えば、左右の前輪１６を操舵輪とし、左右の後輪１７を駆動輪としてもよい。又、走行車体１０は、例えば、左右の後輪１７に代えて左右のクローラを備えたセミクローラ仕様、又は、左右の前輪１６と左右の後輪１７とに代えて左右のクローラを備えたフルクローラ仕様、であってもよい。
【００９１】
〔２〕走行車体１０に搭載する機器Ａは、例えば、バッテリ、電動モータ、油圧ポンプ、送風機、脱穀装置、などであってもよい。
【００９２】
〔３〕上記の実施形態では、機器Ａの左側部（横側部の一例）を覆い隠す第２サイドカバー６を支持機構８にて支持することにより、第２サイドカバー６を縦向き姿勢で下降位置と上昇位置とにわたって上下移動可能にしたが、これに代えて、例えば、機器Ａの左側部（横側部の一例）を覆い隠す第１サイドカバー５を支持機構８にて支持することにより、第１サイドカバー５を縦向き姿勢で下降位置と上昇位置とにわたって上下移動可能にしてもよい。又、機器Ａの右側部（横側部の一例）を覆い隠す第３サイドカバー７を支持機構８にて支持することにより、第３サイドカバー７を縦向き姿勢で下降位置と上昇位置とにわたって上下移動可能にしてもよい。
【００９３】
〔４〕支持機構８は、例えば、スライドレールなどにより、サイドカバー６を縦向き姿勢で下降位置と上昇位置とにわたって上下スライド可能に支持するものであってもよい。又、支持機構８は、例えば、サイドカバー６の下端部に備えたローラなどを上下移動可能に案内するガイドレールと、サイドカバー６の上端部を支持する揺動部材との組み合わせにより、サイドカバー６を縦向き姿勢で下降位置と上昇位置とにわたって上下移動可能に支持するものであってもよい。
【００９４】
〔５〕貯留部６０は、その排出側を走行車体１０の右側に設定したものであってもよい。又、貯留部６０は、例えば、貯留物排出用のスクリュコンベヤ又はバケットコンベヤなどの搬送装置を備えるものであってもよい。
【００９５】
〔６〕回収装置５０は、例えば、種子粒排出用のスクリュコンベヤ又はバケットコンベヤなどの搬送装置を備えるものであってもよい。
【００９６】
〔７〕サイドカバー６は、機器Ａの右側部（横側部の一例）を覆い隠すものであってもよい。
【００９７】
〔８〕別のサイドカバー７は、機器Ａの左側部（横側部の一例）を覆い隠すものであってもよい。又、別のサイドカバー７は、第３伝動ユニット９０Ｃの全体を覆い隠すものであってもよい。又、別のサイドカバー７は、単一のカバー体により構成したものであってもよい。
【００９８】
〔９〕支持部９は、例えば、縦向きの連結ピン又はボルトなどにより、別のサイドカバー７を閉じ位置と開き位置とにわたって縦軸心回りに揺動可能に支持するものであってもよい。
【産業上の利用可能性】
【００９９】
本発明は、トウモロコシ収穫機に限らずコンバイン及び人参収穫機などの収穫機に適用することができる。
【符号の説明】
【０１００】
６      サイドカバー
７      別のサイドカバー
８      支持機構
９      支持部
１０    走行車体
３０    皮むき装置
４０    選別装置
５０    回収装置
５１Ｂ  排出部
６０    貯留部
Ａ      機器
Ａ１    作業装置
Ａａ    駆動部
Ｃ      伝動装置
【図１】
2016189734.tif 000003
【図２】
2016189734.tif 000004
【図３】
2016189734.tif 000005
【図４】
2016189734.tif 000006
【図５】
2016189734.tif 000007
【図６】
2016189734.tif 000008
【図７】
2016189734.tif 000009
【図８】
2016189734.tif 000010
【図９】
2016189734.tif 000011
【図１０】
2016189734.tif 000012
【図１１】
2016189734.tif 000013
【図１２】
2016189734.tif 000014
【図１３】
2016189734.tif 000015
【図１４】
2016189734.tif 000016
【図１５】
2016189734.tif 000017
【図１６】
2016189734.tif 000018